(57)【要約】【課題】過大な磁場を、患者の患部に与えることがなく、地磁気と同程度の大きさの弱い磁場を与えて、患者の患部の血流を改善する磁気治療器を提供する。【解決手段】Ｖ字型フェライト磁石１が、未着磁状態であって、前記Ｖ字型フェライト磁石１が、患者の患部にはりつけられて、前記患部が治療される磁気治療器であって、前記Ｖ字型フェライト磁石１が、地磁気の影響を受けて、地磁気と同程度の大きさの磁場を発生し、患者の患部の血流が増加されることを特徴とする磁気治療器とする。【選択図】図１
2016093229.tif 000002
【特許請求の範囲】
【請求項１】
フェライト磁石が、未着磁状態であって、前記フェライト磁石が、患者の患部にはりつけられて、前記患部が治療される磁気治療器であって、
前記フェライト磁石が、地磁気の影響を受けて、地磁気と同程度の大きさの弱い磁場を発生して、患者の患部の血流が増加されることを特徴とする磁気治療器。
【請求項２】
前記フェライト磁石は、等方性フェライト磁石、あるいは異方性フェライト磁石のいずれかであることを特徴とする請求項１記載の磁気治療器。
【請求項３】
前記フェライト磁石の形状は、Ｖ字型形状であることを特徴とする請求項１または２記載の磁気治療器。
【請求項４】
前記弱い磁場は、０．３ガウス以上から０．５ガウス以下の範囲であることを特徴とする請求項１ないし３のいずれか１項記載の磁気治療器。
【請求項５】
フェライト磁石粉末とバインダーとが混合されたフェライトシートが、未着磁であって、
前記フェライトシートの上に、患者が寝かせられて、前記フェライトシートが、地磁気と同程度の大きさの弱い磁場を発生して、前記患者の患部の血流が増加されることを特徴とする磁気治療器。
【請求項６】
前記フェライト磁石粉末が、等方性フェライト磁石の粉末、あるいは異方性フェライト磁石の粉末のいずれかであることを特徴とする請求項５の磁気治療器。
【請求項７】
前記弱い磁場は、０．３ガウス以上から０．５ガウス以下の範囲であることを特徴とする請求項５または６記載の磁気治療器。
【請求項８】
未着磁のフェライト磁石粉末とバインダーとが混合された不織布が、枕の中材として配置された磁気治療器であって、患者が前記枕を使用し、前記不織布が、地磁気と同程度の大きさの弱い磁場を発生して、前記患者の患部の血流が増加されることを特徴とする磁気治療器。
【請求項９】
未着磁のフェライト磁石粉末とバインダーとが混合された不織布が、敷きパットの中材として配置された磁気治療器であって、患者が前記敷きパットを使用し、前記不織布が、地磁気と同程度の大きさの弱い磁場を発生して、前記患者の患部の血流が増加されることを特徴とする磁気治療器。
【請求項１０】
前記フェライト磁石粉末が、等方性フェライト磁石の粉末、あるいは異方性フェライト磁石の粉末のいずれかであることを特徴とする請求項８または９記載の磁気治療器。
【請求項１１】
前記弱い磁場は、０．３ガウス以上から０．５ガウス以下の範囲であることを特徴とする請求項８ないし１０のいずれか１項記載の磁気治療器。
【発明の詳細な説明】
【技術分野】
【０００１】
本発明は、フェライト磁石を未着磁とし、あるいはフェライトシートを未着磁として
患者に過大な磁場を、患者の患部に与えることがなく、患部を治療する磁気治療器に関する。
【背景技術】
【０００２】
従来の磁気治療器は、フェライト磁石を着磁して、患者の患部に貼り付けて、患部の血流を増加させることにより治療を行っていた。
特許文献１には、フェライト永久磁石を眼鏡に配置した健康眼鏡について開示されている。
眼鏡の鼻パットに位置、あるいはフレームの途中の位置に、フェライト永久磁石が貼り付けられている。前記フェライト永久磁石は、あらかじめ着磁されている。
【０００３】
特許文献２には、複数の磁石片をビニールシートで、覆い、シート形状とした磁気治療器具について開示されている。前記磁石片は、あらかじめ着磁されている。
このような構造により、患部の大きさに応じて、磁気治療器の大きさを設定することが可能である。
【０００４】
特許文献３には、頭部用磁気装着体であって、板状磁力発生手段の磁力を、後頭骨の下縁周囲にある筋、及び、経穴にあたるような構造とすることが開示されている。
前記板状磁力発生手段は、あらかじめ着磁されている。
【先行技術文献】
【特許文献】
【０００５】
【特許文献１】実案登録第3085127号
【特許文献２】実開平5-44143
【特許文献３】特開2009-219589
【発明の概要】
【発明が解決しようとする課題】
【０００６】
従来の磁気治療器は、フェライト磁石が着磁されているため、過剰な磁場が、患者の幹部に作用するという問題点があった。例えば、過剰な磁場の影響によって、めまいや、ふらつき、頭痛などの症状を患者に与えることとなる。
特許文献１，２，３では、どれも、磁気治療器に使用される磁石は、着磁されており、従って、患者に、めまいや、ふらつき、頭痛などの症状を患者に与えるという問題点があった。
【０００７】
本発明の課題は、過大な磁場を、患者の患部に与えることがなく、地磁気と同程度の大きさの弱い磁場を与えて、患者の患部の血流を改善する磁気治療器を提供することである。
【課題を解決するための手段】
【０００８】
本発明の請求項1に係る磁気治療器は、フェライト磁石が、未着磁状態であって、前記フェライト磁石が、患者の患部にはりつけられて、前記患部が治療される磁気治療器であって、前記フェライト磁石が、地磁気の影響を受けて、地磁気と同程度の大きさの弱い磁場を発生して、患者の患部の血流が増加されることを特徴とする磁気治療器である。
【０００９】
本発明の請求項２に係る磁気治療器は、前記フェライト磁石は、等方性フェライト磁石、あるいは異方性フェライト磁石のいずれかであることを特徴とする請求項１記載の磁気治療器である。
【００１０】
本発明の請求項３に係る磁気治療器は、前記フェライト磁石の形状は、Ｖ字型形状であることを特徴とする請求項１または２記載の磁気治療器である。
【００１１】
本発明の請求項４に係る磁気治療器は、前記弱い磁場が、０．３ガウス以上から０．５ガウス以下の範囲であることを特徴とする請求項１ないし３のいずれか１項記載の磁気治療器である。ここで、０．３ガウス未満であると、患部を治療するのには、不足な磁場強度であり、また、０．５ガウスを超えると、患者に対して、副作用を起こす過剰な磁場強度となる。
【００１２】
本発明の請求項５に係る磁気治療器は、フェライト磁石粉末とバインダーとが混合されたフェライトシートが、未着磁であって、前記フェライトシートの上に、患者が寝かせられて、前記フェライトシートが、地磁気と同程度の大きさの弱い磁場を発生して、前記患者の患部の血流が増加されることを特徴とする磁気治療器である。
【００１３】
本発明の請求項６に係る磁気治療器は、前記フェライト磁石粉末が、等方性フェライト磁石の粉末、あるいは異方性フェライト磁石の粉末のいずれかであることを特徴とする請求項５の磁気治療器である。
【００１４】
本発明の請求項７に係る磁気治療器は、前記弱い磁場が、０．３ガウス以上から０．５ガウス以下の範囲であることを特徴とする請求項５または６記載の磁気治療器である。
ここで、０．３ガウス未満であると、患部を治療するのには、不足な磁場強度であり、また、０．５ガウスを超えると、患者に対して、副作用を起こす過剰な磁場強度となる。
【００１５】
本発明の請求項８に係る磁気治療器は、未着磁のフェライト磁石粉末とバインダーとが混合された不織布が、枕の中材として配置された磁気治療器であって、患者が前記枕を使用し、前記不織布が、地磁気と同程度の大きさの弱い磁場を発生して、前記患者の患部の血流が増加されることを特徴とする磁気治療器である。
【００１６】
本発明の請求項９に係る磁気治療器は、未着磁のフェライト磁石粉末とバインダーとが混合された不織布が、敷きパットの中材として配置された磁気治療器であって、患者が前記敷きパットを使用し、前記不織布が、地磁気と同程度の大きさの弱い磁場を発生して、前記患者の患部の血流が増加されることを特徴とする磁気治療器である。
【００１７】
本発明の請求項１０に係る磁気治療器は、前記フェライト磁石粉末が、等方性フェライト磁石の粉末、あるいは異方性フェライト磁石の粉末のいずれかであることを特徴とする請求項８または９記載の磁気治療器である。
【００１８】
本発明の請求項１１に係る磁気治療器は、前記弱い磁場は、０．３ガウス以上から０．５ガウス以下の範囲であることを特徴とする請求項８ないし１０のいずれか１項記載の磁気治療器である。ここで、０．３ガウス未満であると、患部を治療するのには、不足な磁場強度であり、また、０．５ガウスを超えると、患者に対して、副作用を起こす過剰な磁場強度となる。
【発明の効果】
【００１９】
請求項１の磁気治療器によれば、フェライト磁石によって、患者に過大な磁場を与えることなく、患者の患部を治療できる磁気治療器を提供することができる。
【００２０】
請求項２の磁気治療器によれば、等方性フェライト磁石、あるいは異方性フェライト磁石を用いることによって、患者に過大な磁場を与えることなく、患者の患部を治療できる磁気治療器を提供することができる。
【００２１】
請求項３の磁気治療器によれば、Ｖ字型のフェライト磁石を用いることによって、患者に過大な磁場を与えることなく、患者の患部を治療できる磁気治療器を提供することができる。
【００２２】
請求項４の磁気治療器によれば、フェライト磁石の発生する磁場を最適にして、患者に過大な磁場を与えることなく、患者の患部を治療できる磁気治療器を提供することができる。
【００２３】
請求項５の磁気治療器によれば、フェライトシートによって、患者に過大な磁場を与えることなく、患者の患部を治療できる磁気治療器を提供することができる。
【００２４】
請求項６の磁気治療器によれば、フェライトシートについて、等方性フェライト磁石の粉末、あるいは異方性フェライト磁石の粉末を使用することによって患者に過大な磁場を与えることなく、患者の患部を治療できる磁気治療器を提供することができる。
【００２５】
請求項７の磁気治療器によれば、フェライトシートの発生する磁場を最適にして、患者に過大な磁場を与えることなく、患者の患部を治療できる磁気治療器を提供することができる。
【００２６】
請求項８、９の磁気治療器によれば、フェライト磁石粉末を有する不織布から発生する磁場によって、患者に過大な磁場を与えることなく、患者の患部を治療できる磁気治療器を提供することができる。
【００２７】
請求項１０の磁気治療器によれば、等方性フェライト磁石粉末、あるいは異方性フェライト磁石粉末を用いることによって、患者に過大な磁場を与えることなく、患者の患部を治療できる磁気治療器を提供することができる。
【００２８】
請求項１１の磁気治療器によれば、不織布の発生する磁場を最適にして、患者に過大な磁場を与えることなく、患者の患部を治療できる磁気治療器を提供することができる。
【００２９】
本発明によれば、過大な磁場を、患者の患部に与えることがなく、地磁気と同程度の大きさの弱い磁場を与えて、患者の患部の血流を改善する磁気治療器を提供することができる。
【図面の簡単な説明】
【００３０】
【図１】実施例１の未着磁の等方性フェライトの図。
【図２】実施例２の未着磁のフェライトシートの図。
【発明を実施するための形態】
【００３１】
本発明の実施の形態による磁気治療器は、フェライト磁石が、未着磁状態であって、前記フェライト磁石が、患者の患部にはりつけられて、前記患部が治療される磁気治療器であって、前記フェライト磁石が、地磁気の影響を受けて、地磁気と同程度の大きさの弱い磁場を発生して、患者の患部の血流が増加されることを特徴とする磁気治療器である。
【００３２】
ここで、前記フェライト磁石は、等方性フェライト磁石、あるいは異方性フェライト磁石のいずれかが選択される。前記フェライト磁石の形状は、１例としてＶ字型形状が選択される。前記Ｖ字型形状に限られず、他の形状、例えば、棒状、円板状、リング状、楕円状の形状であって良い。また、前記弱い磁場は、０．３ガウス以上から０．５ガウス以下の範囲であることを特徴とする。
【００３３】
本発明の実施の形態による磁気治療器は、フェライト磁石粉末とバインダーとが混合されたフェライトシートが、未着磁であって、前記フェライトシートが、患者の患部に配置されて、地磁気と同程度の大きさの弱い磁場を発生して、患者の患部の血流が増加されることを特徴とする磁気治療器である。
【００３４】
ここで、前記フェライト磁石粉末は、等方性フェライトの粉末、あるいは異方性フェライトの粉末のいずれかかが選択される。また、前記弱い磁場は、０．３ガウス以上から０．５ガウス以下の範囲であることを特徴とする。
【００３５】
本発明の実施の形態による磁気治療器は、未着磁のフェライト磁石粉末とバインダーとが混合された不織布が、枕の中材として配置された磁気治療器であって、患者が前記枕を使用し、前記不織布が、地磁気と同程度の大きさの弱い磁場を発生して、前記患者の患部の血流が増加されることを特徴とする磁気治療器である。
【００３６】
更に、本発明の実施の形態による磁気治療器は、未着磁のフェライト磁石粉末とバインダーとが混合された不織布が、敷きパットの中材として配置された磁気治療器であって、患者が前記敷きパットを使用し、前記不織布が、地磁気と同程度の大きさの弱い磁場を発生して、前記患者の患部の血流が増加されることを特徴とする磁気治療器である。
【００３７】
ここで、前記フェライト磁石粉末が、等方性フェライトの磁石粉末、あるいは異方性フェライトの磁石粉末のいずれかである。また、前記弱い磁場は、０．３ガウス以上から０．５ガウス以下の範囲である。
【実施例】
【００３８】
（実施例１）
図１は、実施例１のＶ字型等方性フェライト磁石１の図である。Ｖ字型等方性フェライト磁石１は、基部３を有し、前記基部３から突き出した腕部４ａ、４ｂにて構成された形状となっている。Ｖ字型等方性フェライト磁石１は、未着磁の状態である。
前記Ｖ字型等方性フェライト磁石１は、患者の患部に貼り付けられて、患部の血流を増加させる。Ｖ字型等方性フェライト磁石１の寸法は、Ａが１３ｍｍ、Ｂが、１２ｍｍ、Ｃが３ｍｍが標準寸法である。必ずしも、前記寸法には、限られず、使用目的によって、寸法は、選択される。Ｖ字型等方性フェライト磁石１は、未着磁ではあるが、地磁気の影響を受けて、０．３ガウス以上から０．５ガウス以下の範囲の磁場を発生する。
また、材質としては、等方性フェライト以外に、異方性フェライトを使用しても良い。
【００３９】
（実施例２）
図２は、実施例２のフェライトシート２の図である。フェライトシート２は、フェライト磁石粉末とバインダーとが混合されて形成されたフェライトシートである。フェライトシート２の寸法は、Ｄが４０ｃｍ、Ｅが６０ｃｍ、厚みＦは、１ｍｍが標準寸法である。
必ずしも、前記寸法には、限られず、使用目的によって、寸法は、選択される。
患者を、前記フェライトシート２の上に寝かせて、患者を治療する。ここで、前記フェライトシート２は、未着磁であり、地磁気の影響を受けて、０．３ガウス以上から０．５ガウス以下の範囲の磁場を発生して、患者の患部に作用する。
【００４０】
（実施例３）
着磁しないＶ字型の等方性フェライト磁石を作製し、患者の患部や、ツボに、貼った。
１．２９歳女性
左目の痛みとかゆみがあり、左目の結膜は、見るからに充血していた。眼科で角膜炎
と結膜炎と診断された後、来院した。左目の外側にＶ字型の等方性フェライトを貼ると、
１０分後には、症状は、ほぼ完全に消えた。
２．２２歳男性
首の痛みと扁桃の痛みで来院した。のどと首に、Ｖ字型の等方性フェライトを貼ると
１５分後には、首の痛みは消え、扁桃の痛みは半減した。
３．２５歳女性
鼻のつまり、目のかゆみ、顔の周辺の厚ぼったい感じがしていた。額にＶ字型の等方性フェライトを貼ると、５分後には、すべての症状が半減した。
４．１６歳女性
鼻のつまりがひどく来院した。額にＶ字型の等方性フェライトを貼ると、５分で症状は三分の一に減少した。
５．６４歳男性
気管支喘息にかかっていたが、全身の関節が痛いとのことで来院した。のどと首に、
Ｖ字型の等方性フェライトを貼ったところ、５分後には、痛みは、体から抜けた。
６．６１歳女性
関節リューマチで指の痛みが長く続き、指の曲げ伸ばしにも苦労をして、来院した。
のどと首の後ろにＶ字型の等方性フェライトを貼ると、痛みが８割がた消えて、指が曲げやすくなった。
７．６６歳、女性
目の痛みと、目のかすみで来院した。眉間にＶ字型の等方性フェライト
を貼ると数分後には、痛みは消え、視界がはっきりした。
８．３２歳、女性
じんましんで首の回りに赤い湿疹が出ていて、かゆみもあった。Ｖ字型の等方性フェライトを、のどと首に貼ったところ、数分でかゆみが消えた。
９．２８歳、女性
吐き気と腹痛で来院した。Ｖ字型の等方性フェライトをへそとおなかの痛い部分に貼ると、３０分後には、吐き気が収まり、また、腹痛は、三分の一に減った。
１０．３８歳、女性
右腕の痛みが一週間前から続いていた。Ｖ字型の等方性フェライトを患部に貼ると、５分くらいで痛みが９０％消えた。
１１．６２歳、女性
腰のいたみが２，３日前より続いていた。Ｖ字型の等方性フェライト
を痛みのある場所に貼ると、１０分程度で、痛みがほぼ消えた。
【００４１】
（実施例４）
着磁しない横４０ｃｍ×縦６０ｃｍの等方性フェライトシートをつくり、その上に患者を１５分間寝かせた。
１．３６歳、男性
アトピー性皮膚炎のかゆみが全身にあった。等方性フェライトシートの上に１５分寝かせると、かゆみは、すっかり消えた。
２．２６歳、女性
アトピー性皮膚炎のかゆみが上半身にあった。等方性フェライトシートの上に１５分寝かせると、かゆみは、すっかり消えた。
３．５６歳、女性
一週間前から腰のいたみがあった。等方性フェライトシートの上に１５分寝かせると、痛みは、すっかり消えた。
４．５７歳、女性
一か月前から右半身の痛みがあった。等方性フェライトシートの上に１５分寝かせると、
かゆみ右上半身の痛みが半減した。しかし、右下半身の痛みは、変わらず。
５．１２歳、アトピー性皮膚炎の男児
全身の赤身とかさつき、かゆみがあったが、等方性フェライトシートの上に１５分寝かせると、かゆみは、９割程度消えた。
６．４２歳、女性
リンパの流れる部分である両手首、両足の膝の裏側にかゆみと湿疹があったが、等方性フェライトシートの上に１５分寝かせると、かゆみは、ほぼ完全に消えた。
７．２４歳、アトピー性皮膚炎の女性
エステの施術を受けた後、全身に湿疹が出た。かゆみがひどかったが、等方性フェライトシートの上に１５分寝かせると、かゆみは、完全に消えた。
８．６９歳、慢性湿疹の女性
背中と腰に色素沈着を伴ったかゆみのある湿疹があった。等方性フェライトシートの上に１５分寝かせると、かゆみは、完全に消えた。
９．２３歳、アトピー性皮膚炎の女性
全身にアトピー性皮膚炎の湿疹があり、頭や顔から浸出液が出ており、かゆみがひどかった。等方性フェライトシートの上に１５分寝かせると、かゆみが、完全に消えた。
１０．３７歳、アトピー性皮膚炎の女性
全身にアトピー性皮膚炎の湿疹があり、かゆみとほてりがあった。等方性フェライトシートの上に１５分寝かせると、かゆみとほてりは、完全に消えた。
【００４２】
(実施例５）
実施例５の磁気治療器は、未着磁のフェライト磁石粉末を、バインダーと混合して、不織布に塗り込ませて、前記不織布を枕、あるいは敷きパッドの中材として使用する磁気治療器である。前記フェライト磁石粉末は、等方性フェライト磁石の粉末、あるいは異方性フェライト磁石の粉末のいずれかである。また、前記バインダーは、例えば、ポリエステルなどが使用されるが、これに限られない。
【００４３】
患者は、前記枕を使用することによって、枕の中材の不織布から、０．３ガウス以上から０．５ガウス以下の範囲の磁場が、患者の枕に接触している頭部に作用し、患者の患部が治療される。
【００４４】
また、患者は、前記敷パットを使用することによって、敷きパットの中材の不織布から、０．３ガウス以上から０．５ガウス以下の範囲の磁場が、患者が接触している敷きパットから患者の患部に作用して、患部が治療される。
【産業上の利用可能性】
【００４５】
本発明の磁気治療によれば、過大な磁場を、患者の患部に与えることがなく、地磁気と同程度の大きさの弱い磁場を与えて、患者の患部の血流を改善する磁気治療器を提供することができ、産業の発展、および医療の発展に寄与する。
【符号の説明】
【００４６】
１  Ｖ字型等方性フェライト磁石
２  フェライトシート
３  基部
４ａ、４ｂ  腕部
【図１】
2016093229.tif 000003
【図２】
2016093229.tif 000004